(57)【要約】【課題】  中空体で形成されたロッド体を有する両ロッド型のダンパを軸芯部に有するフォーク本体内に作動油を供給する際に、ロッド体の内部にエアが溜まらないようにする。【解決手段】  車体側チューブ１と車輪側チューブ２とで伸縮可能に形成されるフォーク本体の軸芯部に収装の両ロッド型のダンパを形成するシリンダ体３が車輪側チューブ２の軸芯部に配在されると共に、両ロッド型のダンパを形成する一方のロッド体５１が車体側チューブ１の軸芯部に垂設されながらシリンダ体３の一方の端部３１ａを貫通してシリンダ体３の内部に収装のピストン部４に連結され、両ロッド型のダンパを形成する他方のロッド体５２がシリンダ体３内に収装のピストン部４に連結されながらシリンダ体３の他方の端部３１ｂを貫通してシリンダ体３の外部に突出すると共に、この他方のロッド体５２が中空体からなりながらシリンダ体３の他方の端部３１ｂを貫通して外部に突出する開口端をキャップ部材５３で液密構造下に閉塞してなる。【選択図】  図１
2007132485.tif 000002
【特許請求の範囲】
【請求項１】
車体側チューブと車輪側チューブとで伸縮可能に形成されるフォーク本体の軸芯部に両ロッド型のダンパを収装してなるダンパ内蔵型フロントフォークにあって、両ロッド型のダンパを形成するシリンダ体が車輪側チューブの軸芯部に配在されると共に、両ロッド型のダンパを形成する一方のロッド体が車体側チューブの軸芯部に垂設されながらシリンダ体の一方の端部を貫通してシリンダ体内に収装のピストン部に連結され、両ロッド型のダンパを形成する他方のロッド体がシリンダ体内に収装のピストン部に連結されながらシリンダ体の他方の端部を貫通してシリンダ体外に突出すると共に、この他方のロッド体が中空体からなりながらシリンダ体の他方の端部を貫通してシリンダ体外に突出する開口端をキャップ部材で液密構造下に閉塞してなることを特徴とするダンパ内蔵型フロントフォーク
【請求項２】
両ロッド型のダンパにおける他方のロッド体が内部たる中空部とこの他方のロッド体外との連通を許容する連通孔を有してなる請求項１に記載のダンパ内蔵型フロントフォーク
【請求項３】
両ロッド型のダンパにおける一方のロッド体が他方のロッド体の内部たる中空部と連通しながらピストン部を迂回するバイパス路を有してなると共に、このバイパス路が他方のロッド体外に画成される油室とピストン部を挟んで反対側となる一方のロッド体外に画成される油室に連通してなる請求項１に記載のダンパ内蔵型フロントフォーク
【請求項４】
両ロッド型のダンパにおけるシリンダ体が車輪側チューブの軸芯部に立設された補助部に他方のロッド体を貫通させる端部を連結させてなる請求項１に記載のダンパ内蔵型フロントフォーク
【請求項５】
両ロッド型のダンパにおけるシリンダ体が他方のロッド体を貫通させる他方の端部にシリンダ体内へのフォーク本体内からの作動油の流入を許容しその逆流を阻止するチェック弁を有してなる請求項１に記載のダンパ内蔵型フロントフォーク
【発明の詳細な説明】
【技術分野】
【０００１】
この発明は、ダンパ内蔵型フロントフォークに関し、特に、車体側チューブと車輪側チューブとで伸縮可能に形成されるフォーク本体の軸芯部に両ロッド型のダンパを収装してなるダンパ内蔵型フロントフォークの改良に関する。
【背景技術】
【０００２】
周知のように、筒型のダンパの中で、両ロッド型のダンパは、原理的に看れば、片ロッド型のダンパに比較して、いわゆるリザーバを要しないから、エアレーションの危惧なくして安定した減衰力の発生を期待できる。
【０００３】
それゆえ、従来から、たとえば、特許文献１に開示されているように、両ロッド型のダンパを車体側チューブと車輪側チューブとで伸縮可能に形成されるフォーク本体の軸芯部に収装したダンパ内蔵型フロントフォークの提案がある。
【０００４】
すなわち、特許文献１に開示されているところは、ダンパ内蔵型フロントフォークにあって、フォーク本体の軸芯部に収装の両ロッド型のダンパがシリンダ体内に摺動可能に収装されてこのシリンダ体内に受圧面積差を有しない二つの油室を画成するピストン部を有してなると共に、このピストン部に連設される両方のロッド体がシリンダ体の両方となる端部をそれぞれ貫通するとしている。
【０００５】
このとき、この両ロッド型のダンパにあって、一方のロッド体は、たとえば、車体側チューブの軸芯部に垂設されながらシリンダ体の一方の端部を貫通してシリンダ体内に収装のピストン部に連結されるとし、他方のロッド体は、シリンダ体内に収装のピストン部に連結されながらシリンダ体の他方の端部を貫通してシリンダ体外に突出するとしている。
【０００６】
それゆえ、一方のロッド体を中空体で形成するかどうかはともかくとして、他方のロッド体を中空体で形成することで、両ロッド型のダンパにおける重量の軽減化を図れ、したがって、この両ロッド型のダンパをフォーク本体の軸芯部に有するダンパ内蔵型フロントフォークにおける全体重量に軽減化に寄与し得ることになる。
【特許文献１】特開２００４‐２９３６６０公報（図１，図３）
【発明の開示】
【発明が解決しようとする課題】
【０００７】
しかしながら、上記した特許文献１に開示の提案について、性能上で特別の不具合がある訳ではないが、ロッド体を中空体で形成する提案を具現化するとき、些か問題を生じる危惧があると指摘される可能性がある。
【０００８】
すなわち、ダンパ内蔵型フロントフォークにおけるフォーク本体の軸芯部に収装される両ロッド型のダンパにあって、上記したように他方のロッド体を中空体で形成するとき、この他方のロッド体にあっては、一端がピストン部に連結されていわば閉塞されている状態下に開口端になる他端がシリンダ体の端部を貫通してシリンダ体外に突出することになる。
【０００９】
このとき、シリンダ体外に突出する開口端が気室中に臨在される場合には格別問題はないが、その開口端が作動油中に臨在される場合には、特に、組み立て後のフォーク本体の内部に作動油を供給して両ロッド型のダンパにおけるシリンダ体内に作動油を流入させようとする際には、ロッド体の内部たる中空部にエアが溜まることが予想される。
【００１０】
そして、ロッド体の中空部に溜まるエアが恒久的にそこに止まる場合には、問題はないが、この溜まっている筈のエアが何らかの理由で外部たる作動油中に混入する場合には、このエアを混入する作動油が減衰バルブを通過するなどで、その減衰バルブによる設定の減衰特性を発現させるのが困難になることが予想される。
【００１１】
この発明は、このような現状を鑑みて創案されたものであって、その目的とするところは、フォーク本体の軸芯部に収装される両ロッド型のダンパが中空体で形成されたロッド体を有するとき、このロッド体の内部たる中空部にエアが溜まらないようにして、その汎用性の向上を期待するのに最適となるダンパ内蔵型フロントフォークを提供することである。
【課題を解決するための手段】
【００１２】
上記した目的を達成するために、この発明によるダンパ内蔵型フロントフォークの構成を、基本的には、車体側チューブと車輪側チューブとで伸縮可能に形成されるフォーク本体の軸芯部に両ロッド型のダンパを収装してなるダンパ内蔵型フロントフォークにあって、両ロッド型のダンパを形成するシリンダ体が車輪側チューブの軸芯部に配在されると共に、両ロッド型のダンパを形成する一方のロッド体が車体側チューブの軸芯部に垂設されながらシリンダ体の一方の端部を貫通してシリンダ体内に収装のピストン部に連結され、両ロッド型のダンパを形成する他方のロッド体がシリンダ体内に収装のピストン部に連結されながらシリンダ体の他方の端部を貫通してシリンダ体外に突出すると共に、この他方のロッド体が中空体からなりながらシリンダ体の他方の端部を貫通してシリンダ体外に突出する開口端をキャップ部材で液密構造下に閉塞してなるとする。
【発明の効果】
【００１３】
それゆえ、この発明にあって、車体側チューブと車輪側チューブとで伸縮可能に形成されるフォーク本体の軸芯部に収装される両ロッド型のダンパを形成する他方のロッド体が中空体で形成されるとしても、その開口端がキャップ部材で閉塞されることで、ロッド体の内部たる中空部にエアが溜まることがなく、したがって、エアが作動油中に混入する不具合が招来されなくなる。
【発明を実施するための最良の形態】
【００１４】
以下に、図示した実施形態に基づいて、この発明を説明するが、この発明によるダンパ内蔵型フロントフォークは、原理図としての図１に示すように、車体側チューブ１と車輪側チューブ２とを出没可能に連繋して伸縮可能に形成されるフォーク本体の軸芯部に両ロッド型のダンパを収装してなる。
【００１５】
このとき、車体側チューブ１と車輪側チューブ２との間には懸架バネＳが配在されていて、この懸架バネＳのバネ力で、フォーク本体が伸長方向に、すなわち、車輪側チューブ２が車体側チューブ１内から抜け出るようになる方向に附勢されてなるとしている。
【００１６】
また、フォーク本体内は、後述する両ロッド型のダンパにおけるいわゆるリザーバ室Ｒとされていて、このリザーバ室Ｒには、油面Ｏを境にする気室Ａが画成されるとし、この気室Ａは、フォーク本体の収縮作動時にエアバネ力を発揮するとしている。
【００１７】
ちなみに、図示するところにあって、車体側チューブ１の軸芯部には、後述するロッド体５、すなわち、両ロッド型のダンパを形成する一方のロッド体５１が垂設され、車輪側チューブ２の軸芯部には、同じくこの両ロッド型のダンパを形成する後述のシリンダ体３が配在されてなるとしている。
【００１８】
それゆえ、このダンパ内蔵型フロントフォークにあっては、フォーク本体の伸縮作動時に、内蔵されている両ロッド型のダンパにおける伸縮作動で所定の減衰力を発生することになる。
【００１９】
ところで、両ロッド型のダンパは、シリンダ体３と、ピストン部４と、一対のロッド体５、すなわち、一方のロッド体５１と他方のロッド体５２とを有してなり、さらに、図示するところでは、チェック弁６を有してなるとしている。
【００２０】
少し説明すると、シリンダ体３は、ピストン部４を摺動可能に収装する本体部３１を有してなるとし、この本体部３１には内部に後述する他方のロッド体５２の先端側を臨在させるサブ油室Ｒ３を画成する補助部３２が連結ブラケット３３（図２参照）の介在下に連設されてなるとしている。
【００２１】
すなわち、補助部３２は、原理的には、本体部３１の延長部とされるもので、本体部３１とほぼ同径に形成されながら車輪側チューブ２の軸芯部に起立されていて、図２に示すように、図中で上端となる開口端を上記の連結ブラケット３３の介在下に本体部３１の下端部、すなわち、本体部３１の図１中で上端となる開口端を閉塞する上端部をヘッド端部３１ａと称するならば、同じく本体部３１の図１中で下端となる開口端を閉塞する下端部となるボトム端部３１ｂに一体的に連結させてなるとしている。
【００２２】
また、この補助部３２の内部に画成されるサブ油室Ｒ３は、この補助部３２に開穿された連通孔３２ａを介してシリンダ体３外たるフォーク本体内、すなわち、前記したリザーバ室Ｒに連通するとしている。
【００２３】
ピストン部４は、上記のシリンダ体３における本体部３１内に摺動可能に収装されていて、受圧面積差を有しない一方の油室Ｒ１と他方の油室Ｒ２とを画成しており、この両方の油室Ｒ１，Ｒ２の連通を許容しながら所定の大きさの減衰力を発生する減衰バルブ４１を有してなるとしている。
【００２４】
ちなみに、減衰バルブ４１は、図示するところでは、この両ロッド型のダンパの伸長作動時および収縮作動時の各側の減衰力を発生するとしている。
【００２５】
ロッド体５、すなわち、一方のロッド体５１および他方のロッド体５２は、前記したピストン部４の図１中で上下側となる両側にそれぞれの基端が連設されながらそれぞれの先端が上記の本体部３１における開口端を閉塞する端部、すなわち、図示するところでは、前記したヘッド端部３１ａおよびボトム端部３１ｂを貫通してシリンダ体３外に突出するとしている。
【００２６】
このとき、一方のロッド体５１の図中で上端となる先端は、車体側チューブ１に連結されているが、他方のロッド体５２の先端は、前記したように、本体部３１におけるボトム端部３１ｂを貫通して補助部３２内のサブ油室Ｒ３に突出するとしている。
【００２７】
ちなみに、一方のロッド体５１の先端側が貫通するヘッド端部３１ａは、図示しないが、軸受部材を有していて、この軸受部材でロッド体５１の摺動性を保障するとしている。
【００２８】
このとき、この軸受部材は、作動油の摺動漏れを許容するから、後述することであるが、シリンダ体３における本体部３１内に画成される一方の油室Ｒ１の作動油が、特に、エアを混入することがある作動油がこの軸受部材の内周側を介してシリンダ体３外、すなわち、リザーバ室Ｒに流出することを許容することになる。
【００２９】
それゆえ、上記した両ロッド型のダンパにあって、シリンダ体３内でピストン部４が摺動すると、このピストン部４でシリンダ体３における本体部３１内に画成されている両方の油室Ｒ１，Ｒ２がピストン部４に配在の減衰バルブ４１を介して相互に連通することになり、このとき、この減衰バルブ４１で所定の大きさとなる伸側および圧側の各減衰力が発生されることになる。
【００３０】
ところで、この発明におけるダンパ内蔵型フロントフォークにあっては、上記した両ロッド型のダンパにおいて、シリンダ体３がこのシリンダ体３の図中で下端となる開口端、すなわち、ボトム端部３１ｂ側の開口端を閉塞するボトム端部３１ｂ、すなわち、ピストン部４に基端が連結される他方のロッド体５２の先端側を軸芯部に貫通させるボトム端部３１ｂにシリンダ体３内へのリザーバ室Ｒからの作動油の流入を許容しその逆流を阻止するチェック弁６を有してなるとしている。
【００３１】
すなわち、この発明によるダンパ内蔵型フロントフォークにあっては、フォーク本体の軸芯部に両ロッド型のダンパを組み込んだ状態で、リザーバ室Ｒに作動油を注入すると共にフォーク本体を伸縮させる、すなわち、ポンピング動作させることで、このリザーバ室Ｒに注入された作動油を両ロッド型のダンパ内に充満させるとしている。
【００３２】
そのため、この発明のダンパ内蔵型フロントフォークでは、両ロッド型のダンパにおけるシリンダ体３がチェック弁６を有するとするもので、このチェック弁６がシリンダ体３内にピストン部４で画成される油室Ｒ２へのリザーバ室Ｒからの作動油の流入を許容すると共にその逆流を阻止するとしている。
【００３３】
このとき、図示するところでは、チェック弁６は、シリンダ体３たる本体部３１におけるボトム端部３１ｂに配在されるとしており、しかも、このチェック弁６の作動を保障するために、図示するところでは、ヘッド端部３１ａの近傍となるシリンダ体３の上端部にエア抜き流路としての連通孔３１ｃ（図１参照）が形成されてなるとしている。
【００３４】
それゆえ、フォーク本体内の軸芯部に両ロッド型のダンパが収装されていて、しかも、この両ロッド型のダンパの内部に作動油が充満されていなくても、リザーバ室Ｒに作動油を注入する場合には、この作動油がサブ油室Ｒ３に流入すると共に上記のチェック弁６を介してシリンダ体３内の他方の油室Ｒ２に流入し、さらには、ピストン部４の減衰バルブ４１を介して一方の油室Ｒ１にも流入することになる。
【００３５】
そして、このとき、作動油が流入するまで、サブ油室Ｒ３を占拠しているエアは、作動油の流入に伴って、作動油と共に、チェック弁６，油室Ｒ２，減衰バルブ４１，油室Ｒ１および連通孔３１ｃを介して外部たるリザーバ室Ｒに流出することになる。
【００３６】
以上からすれば、この発明のダンパ内蔵型フロントフォークにあっては、両ロッド型のダンパにおいて、チェック弁６を有すれば足り、したがって、このチェック弁６の構造については、任意の構成が選択されて良い。
【００３７】
以上からすれば、図示するところにあっては、シリンダ体３における本体部３１のボトム端部３１ｂにチェック弁６を有するから、フロントフォークの組み立てを完了する最後にフォーク本体内に作動油を注入し、フロントフォークを伸縮させる、すなわち、ポンピング動作させるだけでシリンダ体３内への作動油の充満を実現し得ることになり、したがって、油槽内でフロントフォークを組み立てるなどの面倒な作業が要請されない点で有利となる。
【００３８】
一方、以上のように形成される両ロッド型のダンパにあって、この発明では、他方のロッド体５２が中空体からなりながらシリンダ体３の他方の端部、すなわち、本体部３１におけるボトム端部３１ｂを貫通して外部に突出する開口端がキャップ部材５３で液密構造下に閉塞されてなるとしている。
【００３９】
これによって、前記したような作業で作動油がシリンダ体３内に供給される、すなわち、流入されるとしても、少なくとも、他方のロッド体５２の内部、すなわち、中空部５２ａには作動油が流入しないし、この中空部５２ａに言わば閉じ込められているエアが外部に漏出し得ないことになる。
【００４０】
そして、他方のロッド体５２が中空体からなるとすることで、一方のロッド体５１が中実体で形成されるとしても、この他方のロッド体５２において部品重量の削減が可能になり、その分、フロントフォークにおける重量の軽減化に寄与することになる。
【００４１】
ところで、他方のロッド体５２を中空体で形成するとき、その開口端をキャップ部材５３で閉塞せずして、キャップ部材５３の分だけ部品点数を減らすことを提案し得るが、他方のロッド体５２の開口端を開口させたままだと、以下のような不具合があると思考される。
【００４２】
すなわち、まず、他方のロッド体５２の内部となる中空部５２ａにエアが溜まっている場合には、この他方のロッド体５２の開口端が臨在する油室、すなわち、サブ油室Ｒ３における油圧が変化するとき、これに呼応するように中空部５２ａのエアが膨縮することになり、その結果、この両ロッド型のダンパ内に収装されているいわゆる圧側の減衰バルブの作動を不安定なものにすることになる危惧がある。
【００４３】
つぎに、仮に、中空部５２ａのエアの膨縮による反力発生を利用すると設定するとしても、何らかの原因で中空部５２ａのエアが外部に流出する場合には、このエアがリザーバ室Ｒにおける気室Ａ内に流入するであろうから、この気室Ａにおけるエアバネ力、すなわち、反力が変更されることになり、設定通りの反力の発生を期待できなくなる危惧がある。
【００４４】
さらに、中空部５２ａのエアを全て排出させてこの中空部５２ａに作動油を流入させるとする場合、その実現が容易でなく、また、中空部５２ａにエアを残存させていないか否かも確認できないことになり、いわゆる製品のバラツキを招来する危惧がある。
【００４５】
以上からして、他方のロッド体５２を中空体で形成する場合には、開口端をキャップ部材５３で閉塞することで、前記したような利点を挙げられることになるが、その一方で、以下のような不具合が招来される危惧があると指摘される可能性がある。
【００４６】
すなわち、フォーク本体の軸芯部に収装されている両ロッド型のダンパにおける他方のロッド体５２が中空部５２ａにエアを封入した状態にあるときには、フロントフォークの伸縮作動が繰り返されるなどで、フォーク本体内に収容の作動油の油温が上昇する場合には、中空部５２ａに封入されているエアも高温化して膨張することになる。
【００４７】
このとき、キャップ部材５３のシール５３ａが破損などしてエア漏れが招来される場合には、漏れたエアが作動油中に混入することに繋がり、それゆえ、たとえば、減衰バルブによる減衰力発生が不安定になる危惧がある。
【００４８】
そこで、この発明にあっては、フロントフォークの組み立て時に作動油を注入することを鑑みて、爾後に、中空部５２ａのエアを作動油と入れ替えるようにして、中空部５２ａにエアが残存することによるいわゆる悪さを排除するとしている。
【００４９】
そのため、図示するところでは、この他方のロッド体５２を連結ブラケット３３に連結するときにこの連結ブラケット３３で隠蔽されずして露呈する連通孔５２ｂを他方のロッド体５２に開穿するとしている。
【００５０】
その結果、この連通孔５２ｂは、シリンダ体３における本体部３１内に開口することになり、したがって、この本体部３１内、すなわち、油室Ｒ２に流入した作動油が連通孔５２ｂを介してロッド体５２の中空部５２ａにあるエアと入れ替わるようにこの中空部５２ａに流入することになる。
【００５１】
ちなみに、この連通孔５２ｂを介しての中空部５２ａへの作動油の流入は、フロントフォークを伸縮させるポンピング動作を実践することで実現される。
【００５２】
そして、他方のロッド体５２の中空部５２ａに充分に作動油が流入した状況を看ると、上記の連通孔５２ｂが開穿されている位置関係からして、この連通孔５２ｂより上方にエアが残留することになるが、このエアは、少量である上に油室Ｒ２に流出し得ないから、いわゆる悪さをしないことになり、これがそのまま放置されても良いことになる。
【００５３】
ただ、作動油中にエアの言わば塊が残存することは、基本的には好ましくないから、この残存したエアも中空部５２ａの外に放出されるのが好ましいと言い得る。
【００５４】
そこで、図３に示すように、たとえば、両ロッド型のダンパにおいて、一方のロッド体５１が他方のロッド体５２の中空部５２ａと連通しながらピストン部４の減衰バルブ４１を迂回するバイパス路５４を有してなるとし、このとき、このバイパス路５４は、上記した連通孔５２ｂを介して他方のロッド体５２外に画成される油室Ｒ２に連通すると共に、ピストン部４を挟んで反対側となる一方のロッド体５１外に画成される油室Ｒ１に連通してなるとする。
【００５５】
これによって、上記したように他方のロッド体５２の中空部５２ａにあって連通孔５２ｂより上方に残留するエアが上記のバイパス路５４を介して一方のロッド体５１外の油室Ｒ１に放出されることになる。
【００５６】
ちなみに、上記のバイパス路５４は、図示しないが、多くの場合に、コントロールバルブを有していて、このコントロールバルブの作動するところで、バイパス路５４を介しての作動油の流量を制御し、ピストン部４に配在の減衰バルブ４１が発生する減衰力を高低制御し得るように設定される。
【００５７】
前記したところは、この発明によるダンパ内蔵型フロントフォークが車体側チューブ１をアウターチューブにし、車輪側チューブ２をインナーチューブにするいわゆる倒立型とされている場合を例にしたが、この発明が意図するところからすれば、図示しないが、車体側チューブ１をインナーチューブにし、車輪側チューブ２をアウターチューブにするいわゆる正立型とされているとしても良く、その場合の作用効果も異ならないのはもちろんである。
【図面の簡単な説明】
【００５８】
【図１】この発明によるダンパ内蔵型フロントフォークの一実施形態を原理的に示す図である。
【図２】この発明を具体化した両ロッド型のダンパを構成するシリンダ体の構成とチェック弁が配在されている状態とを拡大して示す部分半截縦断面図である。
【図３】この発明を具体化した両ロッド型のダンパを構成するシリンダ体内のピストン部に他方のロッド体が連結されている状態を図２と同様に示す図である。
【符号の説明】
【００５９】
１  車体側チューブ
２  車輪側チューブ
３  シリンダ体
４  ピストン部
５  ロッド体
６  チェック弁
４１  減衰バルブ
３１  本体部
３２  補助部
５１  一方のロッド体
５２  他方のロッド体
５２ａ  中空部
５２ｂ  連通孔
５３  キャップ部材
Ｒ  リザーバ室
Ｒ３  サブ油室
【図１】
2007132485.tif 000003
【図２】
2007132485.tif 000004
【図３】
2007132485.tif 000005